(57)【要約】【課題】本発明は運動玩具を開示した。【解決手段】本発明は運動玩具を開示し、固定体を含み、前記固定体の右端にはスライド体が設置され、前記固定体と前記スライド体との中にはいずれも回転できる縄回しブロックが設置され、前記固定体と前記スライド体との間には縄回しブロックを回せる回転装置が設置され、本発明は構成が簡単で、操作が便利で、修理が便利で、それにこの設備はの作動が安定であり、手動で大縄を回す必要がなく、大幅の動きによる肉離れを回避し、そのためこの設備がより高い使用と普及する価値がある。【選択図】図１
2020175053.tif 000002
【特許請求の範囲】
【請求項１】
運動玩具であって、固定体を含み、前記固定体の右端にはスライド体が設置され、前記固定体と前記スライド体との中にはいずれも回転できる縄回しブロックが設置され、前記固定体と前記スライド体との間には縄回しブロックを回せる回転装置が設置され、前記スライド体を例として詳しく説明すれば、前記スライド体の中には左右に対称的な動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、前記動作チャンバの底壁の中には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの中には動力装置の動力出力位置を制御できる制御装置が設置され、その中、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現できることを特徴とする運動玩具。
【請求項２】
前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記主チャンバの中には下軸が設置され、前記下軸のうち前記主チャンバの一端から離れた一端には下プーリが設置され、前記下プーリと前記上プーリとの間には第一ベルトが伝動できるように設置され、右側の前記下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平行軸の左端には右傘歯車が設置され、前記平行軸の右端には平衡ブロックが設置され、前記右傘歯車と前記左傘歯車との間には伝動傘歯車が伝動できるように設置され、その中、前記固定体の中の前記下軸と、前記固定体の中に固定的に設置された副モーターとが伝動できるように連結され、
前記回転装置は前記縄回しブロックを周期的に回転させ、使用者に便利に運動させることができることを特徴とする請求項１に記載の運動玩具。
【請求項３】
前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を左右にスライド連動させることができることを特徴とする請求項１に記載の運動玩具。
【請求項４】
前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記正プーリの底端には前記移動チャンバの中に位置した従傘歯車が設置され、前記延伸軸の外壁には前記移動チャンバの中に位置した主傘歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の縄を収納できることを特徴とする請求項１に記載の運動玩具。
【請求項５】
前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できることを特徴とする請求項１に記載の運動玩具。
【発明の詳細な説明】
【技術分野】
【０００１】
本発明は体育運動分野を取り上げて、具体的には運動玩具である。
【背景技術】
【０００２】
大縄跳びは団体運動の体育種目であり、団結を固め、体を強め、すごく良い体育スポーツ活動であり、しかし、人数が少ない時、同時に運動できなく、それに二人が大縄を回す動きがより大きく、力が大変かかり且つ肉離れを起こしやすく、そのため、本発明は自動的に大縄を回せる運動玩具を設計する。
【先行技術文献】
【特許文献】
【０００３】
【特許文献１】中国特許出願公開第105944283号明細書
【発明の概要】
【発明が解決しようとする課題】
【０００４】
本発明の目的は運動玩具を提供し、現有の技術の上記欠点を克服できる。
【課題を解決するための手段】
【０００５】
本発明の運動玩具は固定体を含み、前記固定体の右端にはスライド体が設置され、前記固定体と前記スライド体との中にはいずれも回転できる縄回しブロックが設置され、前記固定体と前記スライド体との間には縄回しブロックを回せる回転装置が設置され、前記スライド体を例として詳しく説明すれば、前記スライド体の中には左右に対称的な動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、前記動作チャンバの底壁の中には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの中には動力装置の動力出力位置を制御できる制御装置が設置され、その中、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現できる。
【０００６】
更なる技術方案、前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記主チャンバの中には下軸が設置され、前記下軸のうち前記主チャンバの一端から離れた一端には下プーリが設置され、前記下プーリと前記上プーリとの間には第一ベルトが伝動できるように設置され、右側の前記下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平行軸の左端には右傘歯車が設置され、前記平行軸の右端には平衡ブロックが設置され、前記右傘歯車と前記左傘歯車との間には伝動傘歯車が伝動できるように設置され、その中、前記固定体の中の前記下軸と、前記固定体の中に固定的に設置された副モーターとが伝動できるように連結され、
前記回転装置は前記縄回しブロックを周期的に回転させ、使用者に便利に運動させることができる。
【０００７】
更なる技術方案、前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を左右にスライド連動させることができる。
【０００８】
更なる技術方案、前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記正プーリの底端には前記移動チャンバの中に位置した従傘歯車が設置され、前記延伸軸の外壁には前記移動チャンバの中に位置した主傘歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の縄を収納できる。
【０００９】
更なる技術方案、前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できる。
【発明の効果】
【００１０】
本発明の有益な効果は下記の通りである：
【００１１】
本発明は構成が簡単で、操作が便利で、修理が便利で、それにこの設備はの作動が安定であり、手動で大縄を回す必要がなく、大幅の動きによる肉離れを回避し、そのためこの設備がより高い使用と普及する価値がある。
【図面の簡単な説明】
【００１２】
発明実施例或いは現有技術の技術プランをもっとはっきり説明できるため、以下は実施例或いは現有技術の説明に使われる付図を簡単に紹介する。
【図１】図１は本発明の運動玩具の全体構成模式図
【図２】図２は図１の中のＡの構成模式図
【発明を実施するための形態】
【００１３】
以下は上記の図について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−２に示されるように、本発明の運動玩具は固定体１１を含み、前記固定体１１の右端にはスライド体１２が設置され、前記固定体１１と前記スライド体１２との中にはいずれも回転できる縄回しブロック１３が設置され、前記固定体１１と前記スライド体１２との間には縄回しブロック１３を回せる回転装置１００が設置され、前記スライド体１２を例として詳しく説明すれば、前記スライド体１２の中には左右に対称的な動作チャンバ５７が設置され、前記動作チャンバ５７の頂壁の中には延伸チャンバ２３が設置され、前記延伸チャンバ２３の頂壁の中には収納チャンバ１９が設置され、前記収納チャンバ１９の中には縄を収納できる収納装置２０が設置され、前記動作チャンバ５７の底壁の中には主チャンバ５５が設置され、前記主チャンバ５５の左右両側の内壁の中には対称的な移動チャンバ３５が設置され、前記移動チャンバ３５の中に移動装置３００が設置され、前記主チャンバ５５の中には動力装置４００が設置され、前記主チャンバ５５の中には動力装置４００の動力出力位置を制御できる制御装置５００が設置され、その中、前記動力装置４０は前記主チャンバ５５の中にスライドできるように設置されたスライダ４９を含み、前記スライダ４９の中には主モーター４８が設置され、前記主チャンバ５５の中には前記主モーター４８と伝動できるように連結された動力軸４７が設置され、前記動力軸４７の右端には動力歯車４５が設置され、
前記動力装置４００は前記回転装置１００を駆動して前記縄回しブロック１３を回転連動させ、使用者の運動の便利さを実現できる。
【００１５】
有益なように、前記回転装置１００は前記主チャンバ５５の中に設置された上軸２８を含み、前記上軸２８の外壁には上プーリ２９が設置され、前記上軸２８のうち前記動作チャンバ５７に近接した一端には前記動作チャンバ５７の中に位置した回転盤５６が設置され、前記動作チャンバ５７の中には曲がり軸６０が設置され、前記曲がり軸６０と前記回転盤５６との間が連結棒５８によってヒンジで連結され、前記主チャンバ５５の中には下軸３２が設置され、前記下軸３２のうち前記主チャンバ５５の一端から離れた一端には下プーリ３１が設置され、前記下プーリ３１と前記上プーリ２９との間には第一ベルト３０が伝動できるように設置され、右側の前記下軸３２の左端には前記動力歯車４５と噛合した上歯車５４が設置され、前記収納チャンバ１９の左壁の中には平衡チャンバ１７が設置され、前記平衡チャンバ１７の左壁の中にはベルトチャンバ６２が設置され、前記曲がり軸６０の左端には前記ベルトチャンバ６２の中に位置した主プーリ５９が設置され、前記ベルトチャンバ６２の中には前記縄回しブロック１３と固定的に連結された中空軸１５が設置され、前記中空軸１５の外壁には従プーリ１６が設置され、前記従プーリ１６と前記主プーリ５９との間には第二ベルト６１が伝動できるように設置され、前記中空軸１５の右端には前記平衡チャンバ１７の中に位置した左傘歯車６５が設置され、前記平衡チャンバ１７の中には平衡軸６４が設置され、前記平行軸６４の左端には右傘歯車６６が設置され、前記平行軸６４の右端には平衡ブロック１８が設置され、前記右傘歯車６６と前記左傘歯車６５との間には伝動傘歯車６７が伝動できるように設置され、その中、前記固定体１１の中の前記下軸３２と、前記固定体１１の中に固定的に設置された副モーター６３とが伝動できるように連結され、
前記回転装置１００は前記縄回しブロック１３を周期的に回転させ、使用者に便利に運動させることができる。
【００１６】
有益なように、前記移動装置３００は前記移動チャンバ３５の中に設置された移動軸３７を含み、前記移動軸３７の前後両端には前記移動チャンバ３５の外壁の外に位置した移動輪３８が対称的に設置され、前記移動軸３７の外壁には副傘歯車３６が設置され、前記主チャンバ５５の中には延伸軸４３が設置され、前記延伸軸４３の外壁には前記動力歯車４５と噛合できる下歯車４６が設置され、前記延伸軸４３のうち前記移動チャンバ３５の一端に近接した一端には前記副傘歯車３６と噛合した正傘歯車３９が設置され、
前記移動装置３００は前記スライド体１２を左右にスライド連動させることができる。
【００１７】
有益なように、前記収納チャンバ２００は前記延伸チャンバ２３の中に設置された線巻き軸２１を含み、前記線巻き軸２１の頂端には前記収納チャンバ１９の中に位置したリール２０が設置され、前記リール２０と前記固定体１１との間が縄１４によって連結され、前記線巻き軸２１の底端には前記延伸チャンバ２３の中に位置した副プーリ２２が設置され、前記延伸チャンバ２３の中には縦軸２６が設置され、前記縦軸２６の頂端には正プーリ２５が設置され、前記正プーリ２５と前記副プーリ２２との間には第三ベルト２４が伝動できるように設置され、前記正プーリ２５の底端には前記移動チャンバ３５の中に位置した従傘歯車３３が設置され、前記延伸軸４３の外壁には前記移動チャンバ３５の中に位置した主傘歯車４１が設置され、前記移動チャンバ３５の中には横軸４０が設置され、前記横軸４０の左端には前記主歯車４１と噛合した従歯車４２が設置され、前記横軸４０の右端には前記従傘歯車３３と噛合した主傘歯車３４が設置され、
前記収納装置２００によって運動用の縄を収納できる。
【００１８】
有益なように、前記制御装置５００は前記主チャンバ５５の左壁の中に設置された制御チャンバ５１を含み、前記制御チャンバ５１の中にはスライドできる永久磁石５０が設置され、前記永久磁石５０と前記スライダ４９とが固定的に連結され、前記制御チャンバ５１の左壁の中には電磁石５３が設置され、前記電磁石５３と前記永久磁石５０との間には撥条５２が弾性的に設置され、
前記制御装置５００が前記動力装置４００の動力出力位置を制御できる。
【００１９】
この設備を使う時、電磁石５３が通電して永久磁石５０と、スライダ４９とによって主モーター４８を左にスライド連動させ、それにより動力歯車４５と下歯車４６とが噛合し、主モーター４８が正方向（反方向）に作動して動力軸４７によって動力歯車４５を回転連動させ、それにより下歯車４６と、延伸軸４３と、正傘歯車３９と、副傘歯車３６と、移動軸３７とによって移動輪３８を回転連動させ、それによりスライド体１２を左（右）にスライド連動させ、同時に、主歯車４１が従歯車４２と、横軸４０と、主傘歯車３４と、従傘歯車３３と、縦軸２６と、正プーリ２５と、副プーリ２２と、線巻き軸２１とによってリール２１を回転連動させ、それにより縄を繰り出し（繰り入れ）、前記スライド体１２が一定の位置に着く時、電磁石が電気を切れ、スライダ４９が初期位置に戻り、動力歯車４５と上歯車５４とが噛合し、同時に、副モーター６３と主モーター４８とが同期的に作動し、それにより動力歯車４５が上歯車５４と、下軸３２（副モーター６３が下軸３２によって）と、下プーリ３１と、上プーリ２８と、回転盤５６と、連結棒５８ｔｏによって曲がり軸６０を回転連動させ、それにより主プーリ５９と、縦軸２６と、正プーリ２５とによって縄回しブロック１３を回転連動させ、それにより縄１４を回転連動させ、使用者が運動し、その同時に、中空軸１５が左傘歯車６５と、伝動傘歯車６７と、右傘歯車６６と、平行軸６４によって平衡ブロック１８を回転連動させ、設備のトルクに平衡を持たせる。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020175053.tif 000003
【図２】
2020175053.tif 000004
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
運動玩具であって、固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、左側の前記動作チャンバの下側内壁の中には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現でき、
前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記主チャンバの中には下軸が設置され、前記下軸のうち前記主チャンバの一端から離れた一端には下プーリが設置され、前記下プーリと前記上プーリとの間には第一ベルトが伝動できるように設置され、右側の前記下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記下軸と、前記固定体の中に固定的に設置された副モーターとが伝動できるように連結され、
前記回転装置は前記縄回しブロックを周期的に回転させ、使用者に便利に運動させることができ、
前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができ、
前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記正プーリの底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納でき、
前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できることを特徴とする運動玩具。
【手続補正２】
【補正対象書類名】明細書
【補正対象項目名】全文
【補正方法】変更
【補正の内容】
【発明の詳細な説明】
【技術分野】
【０００１】
本発明は体育運動分野を取り上げて、具体的には運動玩具である。
【背景技術】
【０００２】
大縄跳びは団体運動の体育種目であり、団結を固め、体を強め、すごく良い体育スポーツ活動であり、しかし、人数が少ない時、同時に運動できなく、それに二人が大縄を回す動きがより大きく、力が大変かかり且つ肉離れを起こしやすく、そのため、本発明は自動的に大縄を回せる運動玩具を設計する。
【先行技術文献】
【特許文献】
【０００３】
【特許文献１】中国特許出願公開第１０５９４４２８３号明細書
【発明の概要】
【発明が解決しようとする課題】
【０００４】
本発明の目的は運動玩具を提供し、現有の技術の上記欠点を克服できる。
【課題を解決するための手段】
【０００５】
本発明の運動玩具は固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、左側の前記動作チャンバの下側内壁の中には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現できる。
【０００６】
更なる技術方案、前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記主チャンバの中には下軸が設置され、前記下軸のうち前記主チャンバの一端から離れた一端には下プーリが設置され、前記下プーリと前記上プーリとの間には第一ベルトが伝動できるように設置され、右側の前記下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記下軸と、前記固定体の中に固定的に設置された副モーターとが伝動できるように連結され、
前記回転装置は前記縄回しブロックを周期的に回転させ、使用者に便利に運動させることができる。
【０００７】
更なる技術方案、前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができる。
【０００８】
更なる技術方案、前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記正プーリの底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納できる。
【０００９】
更なる技術方案、前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できる。
【発明の効果】
【００１０】
本発明の有益な効果は下記の通りである：
【００１１】
本発明は構成が簡単で、操作が便利で、修理が便利で、それにこの設備はの作動が安定であり、手動で大縄を回す必要がなく、大幅の動きによる肉離れを回避し、そのためこの設備がより高い使用と普及する価値がある。
【図面の簡単な説明】
【００１２】
発明実施例或いは現有技術の技術プランをもっとはっきり説明できるため、以下は実施例或いは現有技術の説明に使われる付図を簡単に紹介する。
【図１】図１は本発明の運動玩具の全体構成模式図
【図２】図２は図１の中のＡの構成模式図
【発明を実施するための形態】
【００１３】
以下は上記の図について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−２に示されるように、本発明の運動玩具は固定体１１を含み、前記固定体１１の右端にはスライド体１２が設置され、前記固定体１１の中と前記スライド体１２の中とにはいずれも縄回しブロック１３が回転できるように設置され、前記固定体１１と前記スライド体１２との間には縄回しブロック１３を回せる回転装置１００が設置され、前記スライド体１２の中には動作チャンバ５７が二つ設置され、二つの前記動作チャンバ５７の間が互いに対称しており、前記固定体１１の中には前記スライド体１２の中に設置される二つの動作チャンバ５７と同じである前記動作チャンバ５７が設置され、前記動作チャンバ５７の頂壁の中には延伸チャンバ２３が設置され、前記延伸チャンバ２３の頂壁の中には収納チャンバ１９が設置され、前記収納チャンバ１９の中には縄を収納できる収納装置２０が設置され、左側の前記動作チャンバ５７の下側内壁の中には主チャンバ５５が設置され、前記主チャンバ５５の左右両側の内壁の中には対称的な移動チャンバ３５が設置され、前記移動チャンバ３５の中に移動装置３００が設置され、前記主チャンバ５５の中には動力装置４００が設置され、前記主チャンバ５５の中には動力装置４００の動力出力位置を制御できる制御装置５００が設置され、前記動力装置４０は前記主チャンバ５５の中にスライドできるように設置されたスライダ４９を含み、前記スライダ４９の中には主モーター４８が設置され、前記主チャンバ５５の中には前記主モーター４８と伝動できるように連結された動力軸４７が設置され、前記動力軸４７の右端には動力歯車４５が設置され、
前記動力装置４００は前記回転装置１００を駆動して前記縄回しブロック１３を回転連動させ、使用者の運動の便利さを実現できる。
【００１５】
有益なように、前記回転装置１００は前記主チャンバ５５の中に設置された上軸２８を含み、前記上軸２８の外壁には上プーリ２９が設置され、前記上軸２８のうち前記動作チャンバ５７に近接した一端には前記動作チャンバ５７の中に位置した回転盤５６が設置され、前記動作チャンバ５７の中には曲がり軸６０が設置され、前記曲がり軸６０と前記回転盤５６との間が連結棒５８によってヒンジで連結され、前記主チャンバ５５の中には下軸３２が設置され、前記下軸３２のうち前記主チャンバ５５の一端から離れた一端には下プーリ３１が設置され、前記下プーリ３１と前記上プーリ２９との間には第一ベルト３０が伝動できるように設置され、右側の前記下軸３２の左端には前記動力歯車４５と噛合した上歯車５４が設置され、前記収納チャンバ１９の左壁の中には平衡チャンバ１７が設置され、前記平衡チャンバ１７の左壁の中にはベルトチャンバ６２が設置され、前記曲がり軸６０の左端には前記ベルトチャンバ６２の中に位置した主プーリ５９が設置され、前記ベルトチャンバ６２の中には前記縄回しブロック１３と固定的に連結された中空軸１５が設置され、前記中空軸１５の外壁には従プーリ１６が設置され、前記従プーリ１６と前記主プーリ５９との間には第二ベルト６１が伝動できるように設置され、前記中空軸１５の右端には前記平衡チャンバ１７の中に位置した左傘歯車６５が設置され、前記平衡チャンバ１７の中には平衡軸６４が設置され、前記平衡軸６４の左端には右傘歯車６６が設置され、前記平衡軸６４の右端には平衡ブロック１８が設置され、前記右傘歯車６６と前記左傘歯車６５との間には伝動傘歯車６７が伝動できるように設置され、前記固定体１１の中の前記下軸３２と、前記固定体１１の中に固定的に設置された副モーター６３とが伝動できるように連結され、
前記回転装置１００は前記縄回しブロック１３を周期的に回転させ、使用者に便利に運動させることができる。
【００１６】
有益なように、前記移動装置３００は前記移動チャンバ３５の中に設置された移動軸３７を含み、前記移動軸３７の前後両端には前記移動チャンバ３５の外壁の外に位置した移動輪３８が対称的に設置され、前記移動軸３７の外壁には副傘歯車３６が設置され、前記主チャンバ５５の中には延伸軸４３が設置され、前記延伸軸４３の外壁には前記動力歯車４５と噛合できる下歯車４６が設置され、前記延伸軸４３のうち前記移動チャンバ３５の一端に近接した一端には前記副傘歯車３６と噛合した正傘歯車３９が設置され、
前記移動装置３００は前記スライド体１２を駆動し左右にスライドさせることができる。
【００１７】
有益なように、前記収納チャンバ２００は前記延伸チャンバ２３の中に設置された線巻き軸２１を含み、前記線巻き軸２１の頂端には前記収納チャンバ１９の中に位置したリール２０が設置され、前記リール２０と前記固定体１１との間が縄１４によって連結され、前記線巻き軸２１の底端には前記延伸チャンバ２３の中に位置した副プーリ２２が設置され、前記延伸チャンバ２３の中には縦軸２６が設置され、前記縦軸２６の頂端には正プーリ２５が設置され、前記正プーリ２５と前記副プーリ２２との間には第三ベルト２４が伝動できるように設置され、前記正プーリ２５の底端には前記移動チャンバ３５の中に位置した従傘歯車３３が設置され、前記延伸軸４３の外壁には前記移動チャンバ３５の中に位置した主歯車４１が設置され、前記移動チャンバ３５の中には横軸４０が設置され、前記横軸４０の左端には前記主歯車４１と噛合した従歯車４２が設置され、前記横軸４０の右端には前記従傘歯車３３と噛合した主傘歯車３４が設置され、
前記収納装置２００によって運動用の前記縄を収納できる。
【００１８】
有益なように、前記制御装置５００は前記主チャンバ５５の左壁の中に設置された制御チャンバ５１を含み、前記制御チャンバ５１の中にはスライドできる永久磁石５０が設置され、前記永久磁石５０と前記スライダ４９とが固定的に連結され、前記制御チャンバ５１の左壁の中には電磁石５３が設置され、前記電磁石５３と前記永久磁石５０との間には撥条５２が弾性的に設置され、
前記制御装置５００が前記動力装置４００の動力出力位置を制御できる。
【００１９】
この設備を使う時、電磁石５３が通電して永久磁石５０と、スライダ４９とによって主モーター４８を左にスライド連動させ、それにより動力歯車４５と下歯車４６とが噛合し、主モーター４８が正方向（反方向）に作動して動力軸４７によって動力歯車４５を回転連動させ、それにより下歯車４６と、延伸軸４３と、正傘歯車３９と、副傘歯車３６と、移動軸３７とによって移動輪３８を回転連動させ、それによりスライド体１２を左（右）にスライド連動させ、同時に、主歯車４１が従歯車４２と、横軸４０と、主傘歯車３４と、従傘歯車３３と、縦軸２６と、正プーリ２５と、副プーリ２２と、線巻き軸２１とによってリール２１を回転連動させ、それにより縄を繰り出し（繰り入れ）、前記スライド体１２が一定の位置に着く時、電磁石が電気を切れ、スライダ４９が初期位置に戻り、動力歯車４５と上歯車５４とが噛合し、同時に、副モーター６３と主モーター４８とが同期的に作動し、それにより動力歯車４５が上歯車５４と、下軸３２（副モーター６３が下軸３２によって）と、下プーリ３１と、上プーリ２８と、回転盤５６と、連結棒５８ｔｏによって曲がり軸６０を回転連動させ、それにより主プーリ５９と、縦軸２６と、正プーリ２５とによって縄回しブロック１３を回転連動させ、それにより縄１４を回転連動させ、使用者が運動し、その同時に、中空軸１５が左傘歯車６５と、伝動傘歯車６７と、右傘歯車６６と、平衡軸６４によって平衡ブロック１８を回転連動させ、設備のトルクに平衡を持たせる。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
運動玩具であって、固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、左側の前記動作チャンバの下側内壁の中には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現でき、
前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記主チャンバの中には下軸が設置され、前記下軸のうち前記主チャンバの一端から離れた一端には下プーリが設置され、前記下プーリと前記上プーリとの間には第一ベルトが伝動できるように設置され、右側の前記下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記下軸と、前記固定体の中に固定的に設置された副モーターとが伝動できるように連結され、
前記回転装置は前記縄回しブロックを周期的に回転させ、使用者に便利に運動させることができ、
前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができ、
前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記正プーリの底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納でき、
前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できることを特徴とする運動玩具。
【手続補正２】
【補正対象書類名】明細書
【補正対象項目名】全文
【補正方法】変更
【補正の内容】
【発明の詳細な説明】
【技術分野】
【０００１】
本発明は体育運動分野を取り上げて、具体的には運動玩具である。
【背景技術】
【０００２】
大縄跳びは団体運動の体育種目であり、団結を固め、体を強め、すごく良い体育スポーツ活動であり、しかし、人数が少ない時、同時に運動できなく、それに二人が大縄を回す動きがより大きく、力が大変かかり且つ肉離れを起こしやすく、そのため、本発明は自動的に大縄を回せる運動玩具を設計する。
【先行技術文献】
【特許文献】
【０００３】
【特許文献１】中国特許出願公開第１０５９４４２８３号明細書
【発明の概要】
【発明が解決しようとする課題】
【０００４】
本発明の目的は運動玩具を提供し、現有の技術の上記欠点を克服できる。
【課題を解決するための手段】
【０００５】
本発明の運動玩具は固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、左側の前記動作チャンバの下側内壁の中には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現できる。
【０００６】
更なる技術方案、前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記主チャンバの中には下軸が設置され、前記下軸のうち前記主チャンバの一端から離れた一端には下プーリが設置され、前記下プーリと前記上プーリとの間には第一ベルトが伝動できるように設置され、右側の前記下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記下軸と、前記固定体の中に固定的に設置された副モーターとが伝動できるように連結され、
前記回転装置は前記縄回しブロックを周期的に回転させ、使用者に便利に運動させることができる。
【０００７】
更なる技術方案、前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができる。
【０００８】
更なる技術方案、前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記正プーリの底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納できる。
【０００９】
更なる技術方案、前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できる。
【発明の効果】
【００１０】
本発明の有益な効果は下記の通りである：
【００１１】
本発明は構成が簡単で、操作が便利で、修理が便利で、それにこの設備はの作動が安定であり、手動で大縄を回す必要がなく、大幅の動きによる肉離れを回避し、そのためこの設備がより高い使用と普及する価値がある。
【図面の簡単な説明】
【００１２】
発明実施例或いは現有技術の技術プランをもっとはっきり説明できるため、以下は実施例或いは現有技術の説明に使われる付図を簡単に紹介する。
【図１】図１は本発明の運動玩具の全体構成模式図
【図２】図２は図１の中のＡの構成模式図
【発明を実施するための形態】
【００１３】
以下は上記の図について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−２に示されるように、本発明の運動玩具は固定体１１を含み、前記固定体１１の右端にはスライド体１２が設置され、前記固定体１１の中と前記スライド体１２の中とにはいずれも縄回しブロック１３が回転できるように設置され、前記固定体１１と前記スライド体１２との間には縄回しブロック１３を回せる回転装置１００が設置され、前記スライド体１２の中には動作チャンバ５７が二つ設置され、二つの前記動作チャンバ５７の間が互いに対称しており、前記固定体１１の中には前記スライド体１２の中に設置される二つの動作チャンバ５７と同じである前記動作チャンバ５７が設置され、前記動作チャンバ５７の頂壁の中には延伸チャンバ２３が設置され、前記延伸チャンバ２３の頂壁の中には収納チャンバ１９が設置され、前記収納チャンバ１９の中には縄を収納できる収納装置２０が設置され、左側の前記動作チャンバ５７の下側内壁の中には主チャンバ５５が設置され、前記主チャンバ５５の左右両側の内壁の中には対称的な移動チャンバ３５が設置され、前記移動チャンバ３５の中に移動装置３００が設置され、前記主チャンバ５５の中には動力装置４００が設置され、前記主チャンバ５５の中には動力装置４００の動力出力位置を制御できる制御装置５００が設置され、前記動力装置４０は前記主チャンバ５５の中にスライドできるように設置されたスライダ４９を含み、前記スライダ４９の中には主モーター４８が設置され、前記主チャンバ５５の中には前記主モーター４８と伝動できるように連結された動力軸４７が設置され、前記動力軸４７の右端には動力歯車４５が設置され、
前記動力装置４００は前記回転装置１００を駆動して前記縄回しブロック１３を回転連動させ、使用者の運動の便利さを実現できる。
【００１５】
有益なように、前記回転装置１００は前記主チャンバ５５の中に設置された上軸２８を含み、前記上軸２８の外壁には上プーリ２９が設置され、前記上軸２８のうち前記動作チャンバ５７に近接した一端には前記動作チャンバ５７の中に位置した回転盤５６が設置され、前記動作チャンバ５７の中には曲がり軸６０が設置され、前記曲がり軸６０と前記回転盤５６との間が連結棒５８によってヒンジで連結され、前記主チャンバ５５の中には下軸３２が設置され、前記下軸３２のうち前記主チャンバ５５の一端から離れた一端には下プーリ３１が設置され、前記下プーリ３１と前記上プーリ２９との間には第一ベルト３０が伝動できるように設置され、右側の前記下軸３２の左端には前記動力歯車４５と噛合した上歯車５４が設置され、前記収納チャンバ１９の左壁の中には平衡チャンバ１７が設置され、前記平衡チャンバ１７の左壁の中にはベルトチャンバ６２が設置され、前記曲がり軸６０の左端には前記ベルトチャンバ６２の中に位置した主プーリ５９が設置され、前記ベルトチャンバ６２の中には前記縄回しブロック１３と固定的に連結された中空軸１５が設置され、前記中空軸１５の外壁には従プーリ１６が設置され、前記従プーリ１６と前記主プーリ５９との間には第二ベルト６１が伝動できるように設置され、前記中空軸１５の右端には前記平衡チャンバ１７の中に位置した左傘歯車６５が設置され、前記平衡チャンバ１７の中には平衡軸６４が設置され、前記平衡軸６４の左端には右傘歯車６６が設置され、前記平衡軸６４の右端には平衡ブロック１８が設置され、前記右傘歯車６６と前記左傘歯車６５との間には伝動傘歯車６７が伝動できるように設置され、前記固定体１１の中の前記下軸３２と、前記固定体１１の中に固定的に設置された副モーター６３とが伝動できるように連結され、
前記回転装置１００は前記縄回しブロック１３を周期的に回転させ、使用者に便利に運動させることができる。
【００１６】
有益なように、前記移動装置３００は前記移動チャンバ３５の中に設置された移動軸３７を含み、前記移動軸３７の前後両端には前記移動チャンバ３５の外壁の外に位置した移動輪３８が対称的に設置され、前記移動軸３７の外壁には副傘歯車３６が設置され、前記主チャンバ５５の中には延伸軸４３が設置され、前記延伸軸４３の外壁には前記動力歯車４５と噛合できる下歯車４６が設置され、前記延伸軸４３のうち前記移動チャンバ３５の一端に近接した一端には前記副傘歯車３６と噛合した正傘歯車３９が設置され、
前記移動装置３００は前記スライド体１２を駆動し左右にスライドさせることができる。
【００１７】
有益なように、前記収納チャンバ２００は前記延伸チャンバ２３の中に設置された線巻き軸２１を含み、前記線巻き軸２１の頂端には前記収納チャンバ１９の中に位置したリール２０が設置され、前記リール２０と前記固定体１１との間が縄１４によって連結され、前記線巻き軸２１の底端には前記延伸チャンバ２３の中に位置した副プーリ２２が設置され、前記延伸チャンバ２３の中には縦軸２６が設置され、前記縦軸２６の頂端には正プーリ２５が設置され、前記正プーリ２５と前記副プーリ２２との間には第三ベルト２４が伝動できるように設置され、前記正プーリ２５の底端には前記移動チャンバ３５の中に位置した従傘歯車３３が設置され、前記延伸軸４３の外壁には前記移動チャンバ３５の中に位置した主歯車４１が設置され、前記移動チャンバ３５の中には横軸４０が設置され、前記横軸４０の左端には前記主歯車４１と噛合した従歯車４２が設置され、前記横軸４０の右端には前記従傘歯車３３と噛合した主傘歯車３４が設置され、
前記収納装置２００によって運動用の前記縄を収納できる。
【００１８】
有益なように、前記制御装置５００は前記主チャンバ５５の左壁の中に設置された制御チャンバ５１を含み、前記制御チャンバ５１の中にはスライドできる永久磁石５０が設置され、前記永久磁石５０と前記スライダ４９とが固定的に連結され、前記制御チャンバ５１の左壁の中には電磁石５３が設置され、前記電磁石５３と前記永久磁石５０との間には撥条５２が弾性的に設置され、
前記制御装置５００が前記動力装置４００の動力出力位置を制御できる。
【００１９】
この設備を使う時、電磁石５３が通電して永久磁石５０と、スライダ４９とによって主モーター４８を左にスライド連動させ、それにより動力歯車４５と下歯車４６とが噛合し、主モーター４８が正方向（反方向）に作動して動力軸４７によって動力歯車４５を回転連動させ、それにより下歯車４６と、延伸軸４３と、正傘歯車３９と、副傘歯車３６と、移動軸３７とによって移動輪３８を回転連動させ、それによりスライド体１２を左（右）にスライド連動させ、同時に、主歯車４１が従歯車４２と、横軸４０と、主傘歯車３４と、従傘歯車３３と、縦軸２６と、正プーリ２５と、副プーリ２２と、線巻き軸２１とによってリール２１を回転連動させ、それにより縄を繰り出し（繰り入れ）、前記スライド体１２が一定の位置に着く時、電磁石が電気を切れ、スライダ４９が初期位置に戻り、動力歯車４５と上歯車５４とが噛合し、同時に、副モーター６３と主モーター４８とが同期的に作動し、それにより動力歯車４５が上歯車５４と、下軸３２（副モーター６３が下軸３２によって）と、下プーリ３１と、上プーリ２８と、回転盤５６と、連結棒５８ｔｏによって曲がり軸６０を回転連動させ、それにより主プーリ５９と、縦軸２６と、正プーリ２５とによって縄回しブロック１３を回転連動させ、それにより縄１４を回転連動させ、使用者が運動し、その同時に、中空軸１５が左傘歯車６５と、伝動傘歯車６７と、右傘歯車６６と、平衡軸６４によって平衡ブロック１８を回転連動させ、設備のトルクに平衡を持たせる。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
運動玩具であって、固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、前記スライド体には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの左側壁の中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現でき、
前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記スライド体内の前記主チャンバの中には第一下軸が設置され、前記固定体内の前記主チャンバの中には第二下軸が設置され、前記第一下軸のうち前記主チャンバから離れた一端には下プーリが設置され、前記下プーリと前記上プーリとの間には第一ベルトが伝動できるように設置され、前記第一下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記第二下軸と、前記固定体の中に固定的に設置された副モーターとが伝動できるように連結され、
前記回転装置は前記縄回しブロックを周期的に回転させ、使用者に便利に運動させることができ、
前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができ、
前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記縦軸の底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納でき、
前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できることを特徴とする運動玩具。
【手続補正２】
【補正対象書類名】明細書
【補正対象項目名】全文
【補正方法】変更
【補正の内容】
【発明の詳細な説明】
【技術分野】
【０００１】
本発明は体育運動分野を取り上げて、具体的には運動玩具である。
【背景技術】
【０００２】
大縄跳びは団体運動の体育種目であり、団結を固め、体を強め、すごく良い体育スポーツ活動であり、しかし、人数が少ない時、同時に運動できなく、それに二人が大縄を回す動きがより大きく、力が大変かかり且つ肉離れを起こしやすく、そのため、本発明は自動的に大縄を回せる運動玩具を設計する。
【先行技術文献】
【特許文献】
【０００３】
【特許文献１】中国特許出願公開第１０５９４４２８３号明細書
【発明の概要】
【発明が解決しようとする課題】
【０００４】
本発明の目的は運動玩具を提供し、現有の技術の上記欠点を克服できる。
【課題を解決するための手段】
【０００５】
本発明の運動玩具は固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、前記スライド体には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの左側壁の中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現できる。
【０００６】
更なる技術方案、前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記スライド体内の前記主チャンバの中には第一下軸が設置され、前記固定体内の前記主チャンバの中には第二下軸が設置され、前記第一下軸のうち前記主チャンバから離れた一端には下プーリが設置され、前記下プーリと前記上プーリとの間には第一ベルトが伝動できるように設置され、前記第一下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記第二下軸と、前記固定体の中に固定的に設置された副モーターとが伝動できるように連結され、
前記回転装置は前記縄回しブロックを周期的に回転させ、使用者に便利に運動させることができる。
【０００７】
更なる技術方案、前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができる。
【０００８】
更なる技術方案、前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記縦軸の底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納できる。
【０００９】
更なる技術方案、前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できる。
【発明の効果】
【００１０】
本発明の有益な効果は下記の通りである：
【００１１】
本発明は構成が簡単で、操作が便利で、修理が便利で、それにこの設備はの作動が安定であり、手動で大縄を回す必要がなく、大幅の動きによる肉離れを回避し、そのためこの設備がより高い使用と普及する価値がある。
【図面の簡単な説明】
【００１２】
発明実施例或いは現有技術の技術プランをもっとはっきり説明できるため、以下は実施例或いは現有技術の説明に使われる付図を簡単に紹介する。
【図１】図１は本発明の運動玩具の全体構成模式図
【図２】図２は図１の中のＡの構成模式図
【発明を実施するための形態】
【００１３】
以下は上記の図について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−２に示されるように、本発明の運動玩具は固定体１１を含み、前記固定体１１の右端にはスライド体１２が設置され、前記固定体１１の中と前記スライド体１２の中とにはいずれも縄回しブロック１３が回転できるように設置され、前記固定体１１と前記スライド体１２との間には縄回しブロック１３を回せる回転装置１００が設置され、前記スライド体１２の中には動作チャンバ５７が二つ設置され、二つの前記動作チャンバ５７の間が互いに対称しており、前記固定体１１の中には前記スライド体１２の中に設置される二つの動作チャンバ５７と同じである前記動作チャンバ５７が設置され、前記動作チャンバ５７の頂壁の中には延伸チャンバ２３が設置され、前記延伸チャンバ２３の頂壁の中には収納チャンバ１９が設置され、前記収納チャンバ１９の中には縄を収納できる収納装置２０が設置され、前記スライド体１２には主チャンバ５５が設置され、前記主チャンバ５５の左右両側の内壁の中には対称的な移動チャンバ３５が設置され、前記移動チャンバ３５の中に移動装置３００が設置され、前記主チャンバ５５の中には動力装置４００が設置され、前記主チャンバ５５の左側壁の中には動力装置４００の動力出力位置を制御できる制御装置５００が設置され、前記動力装置４０は前記主チャンバ５５の中にスライドできるように設置されたスライダ４９を含み、前記スライダ４９の中には主モーター４８が設置され、前記主チャンバ５５の中には前記主モーター４８と伝動できるように連結された動力軸４７が設置され、前記動力軸４７の右端には動力歯車４５が設置され、
前記動力装置４００は前記回転装置１００を駆動して前記縄回しブロック１３を回転連動させ、使用者の運動の便利さを実現できる。
【００１５】
有益なように、前記回転装置１００は前記主チャンバ５５の中に設置された上軸２８を含み、前記上軸２８の外壁には上プーリ２９が設置され、前記上軸２８のうち前記動作チャンバ５７に近接した一端には前記動作チャンバ５７の中に位置した回転盤５６が設置され、前記動作チャンバ５７の中には曲がり軸６０が設置され、前記曲がり軸６０と前記回転盤５６との間が連結棒５８によってヒンジで連結され、前記スライド体１２内の前記主チャンバ５５の中には第一下軸３２が設置され、前記固定体１１内の前記主チャンバ５５の中には第二下軸が設置され、前記第一下軸３２のうち前記主チャンバ５５から離れた一端には下プーリ３１が設置され、前記下プーリ３１と前記上プーリ２９との間には第一ベルト３０が伝動できるように設置され、前記第一下軸３２の左端には前記動力歯車４５と噛合した上歯車５４が設置され、前記収納チャンバ１９の左壁の中には平衡チャンバ１７が設置され、前記平衡チャンバ１７の左壁の中にはベルトチャンバ６２が設置され、前記曲がり軸６０の左端には前記ベルトチャンバ６２の中に位置した主プーリ５９が設置され、前記ベルトチャンバ６２の中には前記縄回しブロック１３と固定的に連結された中空軸１５が設置され、前記中空軸１５の外壁には従プーリ１６が設置され、前記従プーリ１６と前記主プーリ５９との間には第二ベルト６１が伝動できるように設置され、前記中空軸１５の右端には前記平衡チャンバ１７の中に位置した左傘歯車６５が設置され、前記平衡チャンバ１７の中には平衡軸６４が設置され、前記平衡軸６４の左端には右傘歯車６６が設置され、前記平衡軸６４の右端には平衡ブロック１８が設置され、前記右傘歯車６６と前記左傘歯車６５との間には伝動傘歯車６７が伝動できるように設置され、前記固定体１１の中の前記第二下軸と、前記固定体１１の中に固定的に設置された副モーター６３とが伝動できるように連結され、
前記回転装置１００は前記縄回しブロック１３を周期的に回転させ、使用者に便利に運動させることができる。
【００１６】
有益なように、前記移動装置３００は前記移動チャンバ３５の中に設置された移動軸３７を含み、前記移動軸３７の前後両端には前記移動チャンバ３５の外壁の外に位置した移動輪３８が対称的に設置され、前記移動軸３７の外壁には副傘歯車３６が設置され、前記主チャンバ５５の中には延伸軸４３が設置され、前記延伸軸４３の外壁には前記動力歯車４５と噛合できる下歯車４６が設置され、前記延伸軸４３のうち前記移動チャンバ３５の一端に近接した一端には前記副傘歯車３６と噛合した正傘歯車３９が設置され、
前記移動装置３００は前記スライド体１２を駆動し左右にスライドさせることができる。
【００１７】
有益なように、前記収納チャンバ２００は前記延伸チャンバ２３の中に設置された線巻き軸２１を含み、前記線巻き軸２１の頂端には前記収納チャンバ１９の中に位置したリール２０が設置され、前記リール２０と前記固定体１１との間が縄１４によって連結され、前記線巻き軸２１の底端には前記延伸チャンバ２３の中に位置した副プーリ２２が設置され、前記延伸チャンバ２３の中には縦軸２６が設置され、前記縦軸２６の頂端には正プーリ２５が設置され、前記正プーリ２５と前記副プーリ２２との間には第三ベルト２４が伝動できるように設置され、前記縦軸２６の底端には前記移動チャンバ３５の中に位置した従傘歯車３３が設置され、前記延伸軸４３の外壁には前記移動チャンバ３５の中に位置した主歯車４１が設置され、前記移動チャンバ３５の中には横軸４０が設置され、前記横軸４０の左端には前記主歯車４１と噛合した従歯車４２が設置され、前記横軸４０の右端には前記従傘歯車３３と噛合した主傘歯車３４が設置され、
前記収納装置２００によって運動用の前記縄を収納できる。
【００１８】
有益なように、前記制御装置５００は前記主チャンバ５５の左壁の中に設置された制御チャンバ５１を含み、前記制御チャンバ５１の中にはスライドできる永久磁石５０が設置され、前記永久磁石５０と前記スライダ４９とが固定的に連結され、前記制御チャンバ５１の左壁の中には電磁石５３が設置され、前記電磁石５３と前記永久磁石５０との間には撥条５２が弾性的に設置され、
前記制御装置５００が前記動力装置４００の動力出力位置を制御できる。
【００１９】
この設備を使う時、電磁石５３が通電して永久磁石５０と、スライダ４９とによって主モーター４８を左にスライド連動させ、それにより動力歯車４５と下歯車４６とが噛合し、主モーター４８が正方向（反方向）に作動して動力軸４７によって動力歯車４５を回転連動させ、それにより下歯車４６と、延伸軸４３と、正傘歯車３９と、副傘歯車３６と、移動軸３７とによって移動輪３８を回転連動させ、それによりスライド体１２を左（右）にスライド連動させ、同時に、主歯車４１が従歯車４２と、横軸４０と、主傘歯車３４と、従傘歯車３３と、縦軸２６と、正プーリ２５と、副プーリ２２と、線巻き軸２１とによってリール２１を回転連動させ、それにより縄を繰り出し（繰り入れ）、前記スライド体１２が一定の位置に着く時、電磁石が電気を切れ、スライダ４９が初期位置に戻り、動力歯車４５と上歯車５４とが噛合し、同時に、副モーター６３と主モーター４８とが同期的に作動し、それにより動力歯車４５が上歯車５４と、第一下軸３２（副モーター６３が下軸３２によって）と、下プーリ３１と、上プーリ２８と、回転盤５６と、連結棒５８ｔｏによって曲がり軸６０を回転連動させ、それにより主プーリ５９と、縦軸２６と、正プーリ２５とによって縄回しブロック１３を回転連動させ、それにより縄１４を回転連動させ、使用者が運動し、その同時に、中空軸１５が左傘歯車６５と、伝動傘歯車６７と、右傘歯車６６と、平衡軸６４によって平衡ブロック１８を回転連動させ、設備のトルクに平衡を持たせる。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【手続補正書】
【提出日】令和1年11月4日(2019.11.4)
【手続補正１】
【補正対象書類名】特許請求の範囲
【補正対象項目名】請求項１
【補正方法】変更
【補正の内容】
【請求項１】
運動玩具であって、固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、前記スライド体には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの左側壁の中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現でき、
前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記スライド体内の前記主チャンバの中には第一下軸が設置され、前記固定体内の前記主チャンバの中には第二下軸が設置され、前記第一下軸の右端には下プーリが設置され、前記下プーリと前記上プーリとの間には第一ベルトが伝動できるように設置され、前記第一下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記第二下軸と、前記固定体の中に固定的に設置された副モーターとが伝動できるように連結され、
前記回転装置は前記縄回しブロックを周期的に回転させ、使用者に便利に運動させることができ、
前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができ、
前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記縦軸の底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納でき、
前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できることを特徴とする運動玩具。
【手続補正２】
【補正対象書類名】明細書
【補正対象項目名】全文
【補正方法】変更
【補正の内容】
【発明の詳細な説明】
【技術分野】
【０００１】
本発明は体育運動分野を取り上げて、具体的には運動玩具である。
【背景技術】
【０００２】
大縄跳びは団体運動の体育種目であり、団結を固め、体を強め、すごく良い体育スポーツ活動であり、しかし、人数が少ない時、同時に運動できなく、それに二人が大縄を回す動きがより大きく、力が大変かかり且つ肉離れを起こしやすく、そのため、本発明は自動的に大縄を回せる運動玩具を設計する。
【先行技術文献】
【特許文献】
【０００３】
【特許文献１】中国特許出願公開第１０５９４４２８３号明細書
【発明の概要】
【発明が解決しようとする課題】
【０００４】
本発明の目的は運動玩具を提供し、現有の技術の上記欠点を克服できる。
【課題を解決するための手段】
【０００５】
本発明の運動玩具は固定体を含み、前記固定体の右端にはスライド体が設置され、前記固定体の中と前記スライド体の中とにはいずれも縄回しブロックが回転できるように設置され、前記固定体と前記スライド体との間には縄回しブロックを回せる回転装置が設置され、前記スライド体の中には動作チャンバが二つ設置され、二つの前記動作チャンバの間が互いに対称しており、前記固定体の中には前記スライド体の中に設置される二つの動作チャンバと同じである前記動作チャンバが設置され、前記動作チャンバの頂壁の中には延伸チャンバが設置され、前記延伸チャンバの頂壁の中には収納チャンバが設置され、前記収納チャンバの中には縄を収納できる収納装置が設置され、前記スライド体には主チャンバが設置され、前記主チャンバの左右両側の内壁の中には対称的な移動チャンバが設置され、前記移動チャンバの中に移動装置が設置され、前記主チャンバの中には動力装置が設置され、前記主チャンバの左側壁の中には動力装置の動力出力位置を制御できる制御装置が設置され、前記動力装置は前記主チャンバの中にスライドできるように設置されたスライダを含み、前記スライダの中には主モーターが設置され、前記主チャンバの中には前記主モーターと伝動できるように連結された動力軸が設置され、前記動力軸の右端には動力歯車が設置され、
前記動力装置は前記回転装置を駆動して前記縄回しブロックを回転連動させ、使用者の運動の便利さを実現できる。
【０００６】
更なる技術方案、前記回転装置は前記主チャンバの中に設置された上軸を含み、前記上軸の外壁には上プーリが設置され、前記上軸のうち前記動作チャンバに近接した一端には前記動作チャンバの中に位置した回転盤が設置され、前記動作チャンバの中には曲がり軸が設置され、前記曲がり軸と前記回転盤との間が連結棒によってヒンジで連結され、前記スライド体内の前記主チャンバの中には第一下軸が設置され、前記固定体内の前記主チャンバの中には第二下軸が設置され、前記第一下軸の右端には下プーリが設置され、前記下プーリと前記上プーリとの間には第一ベルトが伝動できるように設置され、前記第一下軸の左端には前記動力歯車と噛合した上歯車が設置され、前記収納チャンバの左壁の中には平衡チャンバが設置され、前記平衡チャンバの左壁の中にはベルトチャンバが設置され、前記曲がり軸の左端には前記ベルトチャンバの中に位置した主プーリが設置され、前記ベルトチャンバの中には前記縄回しブロックと固定的に連結された中空軸が設置され、前記中空軸の外壁には従プーリが設置され、前記従プーリと前記主プーリとの間には第二ベルトが伝動できるように設置され、前記中空軸の右端には前記平衡チャンバの中に位置した左傘歯車が設置され、前記平衡チャンバの中には平衡軸が設置され、前記平衡軸の左端には右傘歯車が設置され、前記平衡軸の右端には平衡ブロックが設置され、前記右傘歯車と前記左傘歯車との間には伝動傘歯車が伝動できるように設置され、前記固定体の中の前記第二下軸と、前記固定体の中に固定的に設置された副モーターとが伝動できるように連結され、
前記回転装置は前記縄回しブロックを周期的に回転させ、使用者に便利に運動させることができる。
【０００７】
更なる技術方案、前記移動装置は前記移動チャンバの中に設置された移動軸を含み、前記移動軸の前後両端には前記移動チャンバの外壁の外に位置した移動輪が対称的に設置され、前記移動軸の外壁には副傘歯車が設置され、前記主チャンバの中には延伸軸が設置され、前記延伸軸の外壁には前記動力歯車と噛合できる下歯車が設置され、前記延伸軸のうち前記移動チャンバの一端に近接した一端には前記副傘歯車と噛合した正傘歯車が設置され、
前記移動装置は前記スライド体を駆動し左右にスライドさせることができる。
【０００８】
更なる技術方案、前記収納チャンバは前記延伸チャンバの中に設置された線巻き軸を含み、前記線巻き軸の頂端には前記収納チャンバの中に位置したリールが設置され、前記リールと前記固定体との間が縄によって連結され、前記線巻き軸の底端には前記延伸チャンバの中に位置した副プーリが設置され、前記延伸チャンバの中には縦軸が設置され、前記縦軸の頂端には正プーリが設置され、前記正プーリと前記副プーリとの間には第三ベルトが伝動できるように設置され、前記縦軸の底端には前記移動チャンバの中に位置した従傘歯車が設置され、前記延伸軸の外壁には前記移動チャンバの中に位置した主歯車が設置され、前記移動チャンバの中には横軸が設置され、前記横軸の左端には前記主歯車と噛合した従歯車が設置され、前記横軸の右端には前記従傘歯車と噛合した主傘歯車が設置され、
前記収納装置によって運動用の前記縄を収納できる。
【０００９】
更なる技術方案、前記制御装置は前記主チャンバの左壁の中に設置された制御チャンバを含み、前記制御チャンバの中にはスライドできる永久磁石が設置され、前記永久磁石と前記スライダとが固定的に連結され、前記制御チャンバの左壁の中には電磁石が設置され、前記電磁石と前記永久磁石との間には撥条が弾性的に設置され、
前記制御装置が前記動力装置の動力出力位置を制御できる。
【発明の効果】
【００１０】
本発明の有益な効果は下記の通りである：
【００１１】
本発明は構成が簡単で、操作が便利で、修理が便利で、それにこの設備はの作動が安定であり、手動で大縄を回す必要がなく、大幅の動きによる肉離れを回避し、そのためこの設備がより高い使用と普及する価値がある。
【図面の簡単な説明】
【００１２】
発明実施例或いは現有技術の技術プランをもっとはっきり説明できるため、以下は実施例或いは現有技術の説明に使われる付図を簡単に紹介する。
【図１】図１は本発明の運動玩具の全体構成模式図
【図２】図２は図１の中のＡの構成模式図
【発明を実施するための形態】
【００１３】
以下は上記の図について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−２に示されるように、本発明の運動玩具は固定体１１を含み、前記固定体１１の右端にはスライド体１２が設置され、前記固定体１１の中と前記スライド体１２の中とにはいずれも縄回しブロック１３が回転できるように設置され、前記固定体１１と前記スライド体１２との間には縄回しブロック１３を回せる回転装置１００が設置され、前記スライド体１２の中には動作チャンバ５７が二つ設置され、二つの前記動作チャンバ５７の間が互いに対称しており、前記固定体１１の中には前記スライド体１２の中に設置される二つの動作チャンバ５７と同じである前記動作チャンバ５７が設置され、前記動作チャンバ５７の頂壁の中には延伸チャンバ２３が設置され、前記延伸チャンバ２３の頂壁の中には収納チャンバ１９が設置され、前記収納チャンバ１９の中には縄を収納できる収納装置２０が設置され、前記スライド体１２には主チャンバ５５が設置され、前記主チャンバ５５の左右両側の内壁の中には対称的な移動チャンバ３５が設置され、前記移動チャンバ３５の中に移動装置３００が設置され、前記主チャンバ５５の中には動力装置４００が設置され、前記主チャンバ５５の左側壁の中には動力装置４００の動力出力位置を制御できる制御装置５００が設置され、前記動力装置４０は前記主チャンバ５５の中にスライドできるように設置されたスライダ４９を含み、前記スライダ４９の中には主モーター４８が設置され、前記主チャンバ５５の中には前記主モーター４８と伝動できるように連結された動力軸４７が設置され、前記動力軸４７の右端には動力歯車４５が設置され、
前記動力装置４００は前記回転装置１００を駆動して前記縄回しブロック１３を回転連動させ、使用者の運動の便利さを実現できる。
【００１５】
有益なように、前記回転装置１００は前記主チャンバ５５の中に設置された上軸２８を含み、前記上軸２８の外壁には上プーリ２９が設置され、前記上軸２８のうち前記動作チャンバ５７に近接した一端には前記動作チャンバ５７の中に位置した回転盤５６が設置され、前記動作チャンバ５７の中には曲がり軸６０が設置され、前記曲がり軸６０と前記回転盤５６との間が連結棒５８によってヒンジで連結され、前記スライド体１２内の前記主チャンバ５５の中には第一下軸３２が設置され、前記固定体１１内の前記主チャンバ５５の中には第二下軸が設置され、前記第一下軸３２の右端には下プーリ３１が設置され、前記下プーリ３１と前記上プーリ２９との間には第一ベルト３０が伝動できるように設置され、前記第一下軸３２の左端には前記動力歯車４５と噛合した上歯車５４が設置され、前記収納チャンバ１９の左壁の中には平衡チャンバ１７が設置され、前記平衡チャンバ１７の左壁の中にはベルトチャンバ６２が設置され、前記曲がり軸６０の左端には前記ベルトチャンバ６２の中に位置した主プーリ５９が設置され、前記ベルトチャンバ６２の中には前記縄回しブロック１３と固定的に連結された中空軸１５が設置され、前記中空軸１５の外壁には従プーリ１６が設置され、前記従プーリ１６と前記主プーリ５９との間には第二ベルト６１が伝動できるように設置され、前記中空軸１５の右端には前記平衡チャンバ１７の中に位置した左傘歯車６５が設置され、前記平衡チャンバ１７の中には平衡軸６４が設置され、前記平衡軸６４の左端には右傘歯車６６が設置され、前記平衡軸６４の右端には平衡ブロック１８が設置され、前記右傘歯車６６と前記左傘歯車６５との間には伝動傘歯車６７が伝動できるように設置され、前記固定体１１の中の前記第二下軸と、前記固定体１１の中に固定的に設置された副モーター６３とが伝動できるように連結され、
前記回転装置１００は前記縄回しブロック１３を周期的に回転させ、使用者に便利に運動させることができる。
【００１６】
有益なように、前記移動装置３００は前記移動チャンバ３５の中に設置された移動軸３７を含み、前記移動軸３７の前後両端には前記移動チャンバ３５の外壁の外に位置した移動輪３８が対称的に設置され、前記移動軸３７の外壁には副傘歯車３６が設置され、前記主チャンバ５５の中には延伸軸４３が設置され、前記延伸軸４３の外壁には前記動力歯車４５と噛合できる下歯車４６が設置され、前記延伸軸４３のうち前記移動チャンバ３５の一端に近接した一端には前記副傘歯車３６と噛合した正傘歯車３９が設置され、
前記移動装置３００は前記スライド体１２を駆動し左右にスライドさせることができる。
【００１７】
有益なように、前記収納チャンバ２００は前記延伸チャンバ２３の中に設置された線巻き軸２１を含み、前記線巻き軸２１の頂端には前記収納チャンバ１９の中に位置したリール２０が設置され、前記リール２０と前記固定体１１との間が縄１４によって連結され、前記線巻き軸２１の底端には前記延伸チャンバ２３の中に位置した副プーリ２２が設置され、前記延伸チャンバ２３の中には縦軸２６が設置され、前記縦軸２６の頂端には正プーリ２５が設置され、前記正プーリ２５と前記副プーリ２２との間には第三ベルト２４が伝動できるように設置され、前記縦軸２６の底端には前記移動チャンバ３５の中に位置した従傘歯車３３が設置され、前記延伸軸４３の外壁には前記移動チャンバ３５の中に位置した主歯車４１が設置され、前記移動チャンバ３５の中には横軸４０が設置され、前記横軸４０の左端には前記主歯車４１と噛合した従歯車４２が設置され、前記横軸４０の右端には前記従傘歯車３３と噛合した主傘歯車３４が設置され、
前記収納装置２００によって運動用の前記縄を収納できる。
【００１８】
有益なように、前記制御装置５００は前記主チャンバ５５の左壁の中に設置された制御チャンバ５１を含み、前記制御チャンバ５１の中にはスライドできる永久磁石５０が設置され、前記永久磁石５０と前記スライダ４９とが固定的に連結され、前記制御チャンバ５１の左壁の中には電磁石５３が設置され、前記電磁石５３と前記永久磁石５０との間には撥条５２が弾性的に設置され、
前記制御装置５００が前記動力装置４００の動力出力位置を制御できる。
【００１９】
この設備を使う時、電磁石５３が通電して永久磁石５０と、スライダ４９とによって主モーター４８を左にスライド連動させ、それにより動力歯車４５と下歯車４６とが噛合し、主モーター４８が正方向（反方向）に作動して動力軸４７によって動力歯車４５を回転連動させ、それにより下歯車４６と、延伸軸４３と、正傘歯車３９と、副傘歯車３６と、移動軸３７とによって移動輪３８を回転連動させ、それによりスライド体１２を左（右）にスライド連動させ、同時に、主歯車４１が従歯車４２と、横軸４０と、主傘歯車３４と、従傘歯車３３と、縦軸２６と、正プーリ２５と、副プーリ２２と、線巻き軸２１とによってリール２１を回転連動させ、それにより縄を繰り出し（繰り入れ）、前記スライド体１２が一定の位置に着く時、電磁石が電気を切れ、スライダ４９が初期位置に戻り、動力歯車４５と上歯車５４とが噛合し、同時に、副モーター６３と主モーター４８とが同期的に作動し、それにより動力歯車４５が上歯車５４と、第一下軸３２（副モーター６３が下軸３２によって）と、下プーリ３１と、上プーリ２８と、回転盤５６と、連結棒５８ｔｏによって曲がり軸６０を回転連動させ、それにより主プーリ５９と、縦軸２６と、正プーリ２５とによって縄回しブロック１３を回転連動させ、それにより縄１４を回転連動させ、使用者が運動し、その同時に、中空軸１５が左傘歯車６５と、伝動傘歯車６７と、右傘歯車６６と、平衡軸６４によって平衡ブロック１８を回転連動させ、設備のトルクに平衡を持たせる。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。